(57)【要約】【課題】１つのシンク機器の接続状態が変化した場合に一定条件下で、接続状態が変化していない方のシンク機器で視聴を継続することができ、また、新しく接続されたシンク機器において適切な出力型式に基づくコンテンツを出力することができる分配器、及び該分配器を備えるコンテンツデータ送受信システムを提供する。【解決手段】コンテンツデータ送受信システム１２の分配器１５の情報処理部７５は、シンク機器４の接続が切断され、シンク機器が接続された場合、該シンク機器のＥＤＩＤに基づいてＥＤＩＤデータを作成する。情報処理部７５は、該ＥＤＩＤデータがＥＤＩＤデータ格納部５４に格納された設定ＥＤＩＤデータと同一であるか否かを判定し、同一である場合、シンク機器の鍵情報が切断前の何れかの機器の鍵情報と同一であるか否かを判定する。鍵情報が同一である場合、シンク機器３へのコンテンツデータの出力を継続する。【選択図】図９
2013255215.tif 000002
【特許請求の範囲】
【請求項１】
ソース機器及び複数のシンク機器間に介装され、各シンク機器の鍵情報を取得し、前記ソース機器により認証を要求された場合に、前記鍵情報及び認証の成否を判定するための認証成否情報を前記ソース機器へ与え、前記鍵情報及び認証成否情報を用いた前記ソース機器による認証が成立した後、前記ソース機器からコンテンツデータを入力され、入力されたコンテンツデータを各シンク機器へ出力する分配器において、
各シンク機器の出力型式を含む機器情報を取得する機器情報取得手段と、
取得した機器情報の中から、複数のシンク機器に対応し、かつ前記ソース機器と各シンク機器との間で送受信可能なコンテンツデータを作成することが可能である機器情報を抽出する機器情報抽出手段と、
抽出した機器情報が格納される機器情報格納手段と、
前記ソース機器による接続された全シンク機器の認証が成立していた場合に、いずれかのシンク機器の接続が切断され、任意のシンク機器が接続されたとき、前記機器情報取得手段により取得した前記シンク機器の機器情報が、前記機器情報格納手段に格納された機器情報に対応しているか否かを判定する機器情報判定手段と、
該機器情報判定手段により前記機器情報に対応していると判定した場合に、前記シンク機器の鍵情報が、前記認証が成立していたいずれかのシンク機器の鍵情報と同一であるか否かを判定する鍵情報判定手段と、
前記機器情報判定手段により前記機器情報に対応していないと判定した場合、又は前記鍵情報判定手段により前記鍵情報と同一でないと判定した場合に、認証成否情報を認証が否定される情報に書き換える書換手段と
を備えることを特徴とする分配器。
【請求項２】
複数のシンク機器を接続する接続部を有し、
前記鍵情報判定手段は、いずれか一つの接続部に接続されていたシンク機器の接続が切断され、前記接続部に任意のシンク機器が接続された場合に、該シンク機器の鍵情報が、接続を切断されたシンク機器の鍵情報と同一であるか否かを判定するように構成されていることを特徴とする請求項１に記載の分配器。
【請求項３】
前記コンテンツデータは映像データを含み、前記認証成否情報は、前記ソース機器と共通の暗号文関数を用いて、入力された映像データに対応して所定フレーム毎に完全性を前記ソース機器に検証させるために生成する情報であり、
前記書換手段は、前記ソース機器が前記暗号文関数を用いて、映像データに対応して前記所定フレーム毎に完全性を検証するために生成する情報と一致しないように、前記認証成否情報を書き換えることを特徴とする請求項１又は２に記載の分配器。
【請求項４】
前記機器情報判定手段により前記機器情報に対応していないと判定され、前記書換手段により前記認証成否情報が書き換えられた場合、前記ソース機器により認証を要求されたときに、前記機器情報抽出手段が、接続されたシンク機器、及び残りのシンク機器に対応して抽出した機器情報を、前記機器情報格納手段に格納する手段を備えることを特徴とする請求項１から３までのいずれか１項に記載の分配器。
【請求項５】
前記機器情報はＥＤＩＤであり、映像フォーマット情報及び音声フォーマット情報を含むことを特徴とする請求項１から請求項４までのいずれか１項に記載の分配器。
【請求項６】
請求項１から請求項５までのいずれか１項に記載の分配器と、
前記分配器へ認証を要求し、認証が成立した場合にコンテンツデータを前記分配器へ出力するソース機器と、
前記分配器から前記コンテンツデータを入力されるシンク機器と
を備えることを特徴とするコンテンツデータ送受信システム。
【請求項７】
前記シンク機器は、
表示装置と、
テレビジョン放送を受信する受信部と
を備え、
前記受信部にて受信したテレビジョン放送に基づいて、前記表示装置に映像を表示するようにしてあるテレビジョン受信機であることを特徴とする請求項６に記載のコンテンツデータ送受信システム。
【発明の詳細な説明】
【技術分野】
【０００１】
本発明は、ソース機器から入力されるコンテンツデータをシンク機器へ分配する分配器、及び該分配器を備えるコンテンツデータ送受信システムに関する。
【背景技術】
【０００２】
近年、デジタル機器を相互に接続し、機器間でデジタル化されたコンテンツデータを送受信することがよく行われている。一例として、コンテンツデータを配信するソース機器と、該ソース機器とデジタル接続され、前記コンテンツデータを取得する複数のシンク機器と、ソース機器と複数のシンク機器との間に介装され、コンテンツデータを複数のシンク機器に同時出力する分配器とを備えるコンテンツデータ送受信システムが挙げられる。
【０００３】
このデジタル化されたコンテンツデータを伝送するための規格として、ＨＤＭＩ（High-Definition Multimedia Interface）がある。ＨＤＭＩは、パーソナルコンピュータ（ＰＣ）とディスプレイとの接続標準規格であるＤＶＩ（Digital Visual Interface）を基に、音声伝送機能、著作権保護機能、色差伝送機能等を加えたオーディオビジュアル（ＡＶ）家電機器の接続標準規格である。
【０００４】
ＨＤＭＩを用いれば、映像信号及び音声信号を非圧縮で転送できるため、デコーダ等の専用チップ、ソフトウェア等を必要としない。さらに、接続機器同士が互いに認識することができるインテリジェンス機能を有する。また、映像信号、音声信号、制御信号が一体となったシングルケーブルであり、接続機器間の配線を簡略化できる。そして、制御信号等も送ることができるので、各接続機器間の連携も容易である。対応する映像フォーマットとしては、例えば４８０ｉ（interlace）、４８０ｐ（progressive）、１０８０ｉ、７２０ｐ、１０８０ｐ等があり、音声フォーマットとしては、ＡＡＣ（Advanced Audio Coding）、ＰＣＭ（Pulse Code Modulation）、ＡＣ３（Audio Code number ３）等が挙げられる。対応可能な映像フォーマット及び音声フォーマットは、ＡＶ機器毎に異なるため、シンク機器にソース機器を接続する場合、シンク機器が、対応可能な映像フォーマット及び音声フォーマットを設定し、ソース機器が、このデータをリードする。そして、ソース機器は、出力可能なフォーマットと、シンク機器が受信可能なフォーマットとを比較し、適したフォーマットの信号を出力する必要がある。
【０００５】
ＨＤＭＩにおいては、物理層はＴＭＤＳ（Transition Minimized Differential Signaling）が、信号の暗号化はＨＤＣＰ（High-bandwidth Digital Content Protection system）が、機器間認証はＥＤＩＤ（Extended Display Identification Data）が、系全体の
制御系接続はＣＥＣ（Consumer Electronics Control）が採用されている
【０００６】
ＨＤＣＰは、コンテンツデータが配信される際に配信経路の認証を行い、配信経路上に新たな機器が接続されたか否か、接続されていた機器が取り外されたか否か等の配信経路の変更を監視する。配信経路の変更を検知した場合、コンテンツデータの配信を中断して配信経路の再認証を行う。
【０００７】
ＨＤＣＰは、三段階の認証で構成されている。ソース機器−シンク機器間では、以下の第１及び第３認証処理のみが行われる。一方、ソース機器−分配器間では、第１〜第３認証処理の全てが行われる。
第１認証処理では、接続されている隣接機器が保有しているキー情報が規格に準拠しているか否かが確認される。第２認証処理では、接続されている全ての機器が保有しているキー情報の伝播と、上記キー情報が、Revocation List に存在していないことの確認が行われる。第３認証処理では、暗号化されたコンテンツが正常に復号化されているか否かの確認が行われる。
第１認証段階においては、確認が完了するまで、著作権保護が必要なコンテンツを出力することができないので、通常、シンク機器には黒映像又はブルースクリーン映像等の著作権保護が不要な映像が表示されることになる。
【０００８】
この送受信システムにおいて、１つのソース機器に、分配器を介して２つのシンク機器が接続され、正常に映像が表示されている状態で、一方のシンク機器の電源がオフになった後、オンになった場合等、上述したようにソース機器に対して再認証が促され、ソース機器が再認証を行うので、それまで正常に表示されていた他方のシンク機器においても黒映像が表示されることになり、ユーザに不快感が生じるという問題があった。
【０００９】
これを解決する分配機器の発明として、特許文献１の発明がある。
特許文献１の分配器においては、第１シンク機器で第１ソース機器のコンテンツを視聴している状態で、第２ソース機器が接続された場合、例えば、第１シンク機器が車の前席にあり、第２シンク機器が車の後席にあるとき、第１シンク機器でコンテンツの視聴を続けることができるように第２ソース機器と第２シンク機器との間でのみ認証を行う。これにより、第１シンク機器に不要な黒映像が表示されることがなくなる。すなわち、認証されていないソース機器とシンク機器のコンテンツ視聴が選択された場合には、該当する経路の認証処理をその時点で行って視聴可能とする。
【先行技術文献】
【特許文献】
【００１０】
【特許文献１】特開２０１１−２１１５８０号公報
【発明の概要】
【発明が解決しようとする課題】
【００１１】
特許文献１等の従来の分配機器においては、１つのソース機器から複数のシンク機器に同一のコンテンツを出力している場合に、特定のシンク機器の接続状態が変化したとき、例えば該シンク機器の接続が切断されて新たにシンク機器が接続されたとき、ソース機器に認証を促すことにすると、接続状態が変化しないシンク機器においても、不要な黒映像が表示されることになる。そして、ソース機器に認証を促さない場合、すなわち、接続されているシンク機器の状態変化を伝達しない場合には、音声が出力されないシンク機器が発生したり、映像が表示されないシンク機器が発生したりする可能性がある。音声が出力されないシンク機器が発生する場合として、例えば２つのシンク機器の対応する音声フォーマットが異なる場合、使用シーンによって対応する音声フォーマットが異なる場合等が挙げられる。
【００１２】
本発明は斯かる事情に鑑みてなされたものであり、一つのシンク機器の接続状態が変化した場合に一定条件下で、接続状態が変化していない方のシンク機器で視聴を継続することができ、また、新しく接続されたシンク機器において適切な出力型式に基づくコンテンツを出力することが可能となる分配器、及び該分配器を備えるコンテンツデータ送受信システムを提供することを目的とする。
【課題を解決するための手段】
【００１３】
本発明に係る分配器は、ソース機器及び複数のシンク機器間に介装され、各シンク機器の鍵情報を取得し、前記ソース機器により認証を要求された場合に、前記鍵情報及び認証の成否を判定するための認証成否情報を前記ソース機器へ与え、前記鍵情報及び認証成否情報を用いた前記ソース機器による認証が成立した後、前記ソース機器からコンテンツデータを入力され、入力されたコンテンツデータを各シンク機器へ出力する分配器において、各シンク機器の出力型式を含む機器情報を取得する機器情報取得手段と、取得した機器情報の中から、複数のシンク機器に対応し、かつ前記ソース機器と各シンク機器との間で送受信可能なコンテンツデータを作成することが可能である機器情報を抽出する機器情報抽出手段と、抽出した機器情報が格納される機器情報格納手段と、前記ソース機器による接続された全シンク機器の認証が成立していた場合に、いずれかのシンク機器の接続が切断され、任意のシンク機器が接続されたとき、前記機器情報取得手段により取得した前記シンク機器の機器情報が、前記機器情報格納手段に格納された機器情報に対応しているか否かを判定する機器情報判定手段と、該機器情報判定手段により前記機器情報に対応していると判定した場合に、前記シンク機器の鍵情報が、前記認証が成立していたいずれかのシンク機器の鍵情報と同一であるか否かを判定する鍵情報判定手段と、前記機器情報判定手段により前記機器情報に対応していないと判定した場合、又は前記鍵情報判定手段により前記鍵情報と同一でないと判定した場合に、認証成否情報を認証が否定される情報に書き換える書換手段とを備えることを特徴とする。
【００１４】
本発明においては、一つのシンク機器の接続が切断され、任意のシンク機器が接続された場合、接続されたシンク機器の機器情報が機器情報格納手段に格納された機器情報に対応しており、該シンク機器の鍵情報が、認証が成立していたいずれかのシンク機器の鍵情報と同一であるとき、ソース機器による再認証を促さない。従って、接続が切断されていないシンク機器において、不要な黒映像等の認証中映像が表示されない。また、接続されたシンク機器において、適切な出力型式に基づくコンテンツを出力することができる。
そして、接続されたシンク機器の機器情報が機器情報格納手段に格納された機器情報に対応していないと判定した場合、又は前記シンク機器の鍵情報が、認証が成立していたいずれかのシンク機器の鍵情報と同一でないと判定した場合、ソース機器に再認証を行うように促すので、再認証処理が実行され、確実に著作権が保護される。さらに、機器情報格納手段に格納する機器情報を更新することにより、複数のシンク機器において、適切な機器情報に基づくコンテンツを視聴することができる。
【００１５】
本発明に係る分配器は、複数のシンク機器を接続する接続部を有し、前記鍵情報判定手段は、いずれか一つの接続部に接続されていたシンク機器の接続が切断され、前記接続部に任意のシンク機器が接続された場合に、該シンク機器の鍵情報が、接続を切断されたシンク機器の鍵情報と同一であるか否かを判定するように構成されていることを特徴とする。
【００１６】
本発明においては、いずれか一つの接続部に接続されていたシンク機器の接続が切断され、任意のシンク機器が接続された場合、接続されたシンク機器の機器情報が機器情報格納手段に格納された機器情報に対応しており、該シンク機器の鍵情報が切断前のシンク機器の鍵情報と同一であるとき、ソース機器による再認証を促さない。従って、接続が切断されていないシンク機器において、不要な黒映像等の認証中映像が表示されない。また、接続されたシンク機器において、適切な出力型式に基づくコンテンツを出力することができる。
そして、接続されたシンク機器の機器情報が機器情報格納手段に格納された機器情報に対応していないと判定した場合、又は前記シンク機器の鍵情報が切断前のシンク機器の鍵情報と同一でないと判定した場合、ソース機器に再認証を行うように促すので、再認証処理が実行され、確実に著作権が保護される。さらに、機器情報格納手段に格納する機器情報を更新することにより、複数のシンク機器において、適切な機器情報に基づくコンテンツを視聴することができる。
【００１７】
本発明に係る分配器は、前記コンテンツデータは映像データを含み、前記認証成否情報は、前記ソース機器と共通の暗号文関数を用いて、入力された映像データに対応して所定フレーム毎に完全性を前記ソース機器に検証させるために生成する情報であり、前記書換手段は、前記ソース機器が前記暗号文関数を用いて、映像データに対応して前記所定フレーム毎に完全性を検証するために生成する情報と一致しないように、前記認証成否情報を書き換えることを特徴とする。
【００１８】
本発明においては、分配器側で生成する認証成否情報の値をゼロにリセット等することにより、ソース機器は認証が不成立になったことを容易に検知でき、認証処理を開始することができる。
【００１９】
本発明に係る分配器は、前記機器情報判定手段により前記機器情報に対応していないと判定され、前記書換手段により前記認証成否情報が書き換えられた場合、前記ソース機器により認証を要求されたときに、前記機器情報抽出手段が、接続されたシンク機器、及び残りのシンク機器に対応して抽出した機器情報を、前記機器情報格納手段に格納する手段を備えることを特徴とする。
【００２０】
本発明においては、接続が切断されていないシンク機器、及び新たに接続されたシンク機器の全てのシンク機器に対応しており、分配器が伝送可能な機器情報に設定を変更し、これに基づいてソース機器がコンテンツデータを出力するので、全てのシンク機器で適切な出力型式に基づくコンテンツを視聴することができる。
【００２１】
本発明に係る分配器は、前記機器情報はＥＤＩＤであり、映像フォーマット情報及び音声フォーマット情報を含むことを特徴とする。
【００２２】
本発明においては、複数のシンク機器で適切な映像フォーマット及び音声フォーマットに基づくコンテンツを視聴することができる。
【００２３】
本発明に係るコンテンツデータ送受信システムは、上述のいずれかの分配器と、前記分配器へ認証を要求し、認証が成立した場合にコンテンツデータを前記分配器へ出力するソース機器と、前記分配器から前記コンテンツデータを入力されるシンク機器とを備えることを特徴とする。
【００２４】
本発明においては、一つのシンク機器の接続が切断され、任意のシンク機器が接続された場合、接続されたシンク機器の機器情報が機器情報格納手段に格納された機器情報に対応しており、鍵情報が接続前のシンク機器の鍵情報と同一であるとき、ソース機器による再認証を促さない。従って、接続が切断されていないシンク機器において、不要な黒映像等の認証中映像が表示されない。
【００２５】
本発明に係るコンテンツデータ送受信システムは、前記シンク機器は、表示装置と、テレビジョン放送を受信する受信部とを備え、前記受信部にて受信したテレビジョン放送に基づいて、前記表示装置に映像を表示するようにしてあるテレビジョン受信機であることを特徴とする。
【００２６】
本発明においては、シンク機器としてテレビジョン受信機を有する場合に、不要な黒映像等の認証中映像の表示が防止される。
【発明の効果】
【００２７】
本発明によれば、一つのシンク機器の接続状態が変化した場合に、接続されたシンク機器の機器情報が機器情報格納手段に格納された機器情報に対応しており、該シンク機器の鍵情報が、認証が成立していたいずれかのシンク機器の鍵情報と同一であるとき、接続状態が変化していない方のシンク機器で視聴を継続することができる。また、新しく接続されたシンク機器において、適切な出力型式に基づくコンテンツを出力することができる。
【図面の簡単な説明】
【００２８】
【図１】本発明の実施の形態１に係るコンテンツデータ送受信システムを示す概略斜視図である。
【図２】本発明の実施の形態１に係るコンテンツデータ送受信システムの構成を示すブロック図である。
【図３】本発明の実施の形態１に係る情報処理部の処理手順を示すフローチャートである。
【図４】本発明の実施の形態１に係る情報処理部の処理手順を示すフローチャートである。
【図５】本発明の実施の形態１に係る情報処理部の再認証処理を示すフローチャートである。
【図６】本発明の実施の形態２に係るコンテンツデータ送受信システムの構成を示すブロック図である。
【図７】本発明の実施の形態２に係る情報処理部の処理手順を示すフローチャートである。
【図８】本発明の実施の形態２に係る情報処理部の処理手順を示すフローチャートである。
【図９】本発明の実施の形態３に係るコンテンツデータ送受信システムの構成を示すブロック図である。
【図１０】本発明の実施の形態３に係る情報処理部の処理手順を示すフローチャートである。
【図１１】本発明の実施の形態３に係る情報処理部の処理手順を示すフローチャートである。
【発明を実施するための形態】
【００２９】
以下、本発明をその実施の形態を示す図面に基づいて具体的に説明する。
実施の形態１．
図１は、本発明の実施の形態１に係るコンテンツデータ送受信システム１を示す概略斜視図、図２はコンテンツデータ送受信システム１の構成を示すブロック図である。
コンテンツデータ送受信システム１は、コンテンツデータを配信するソース機器２と、該ソース機器２とデジタル接続されて、前記コンテンツデータを取得するシンク機器３，シンク機器４と、ソース機器２とシンク機器３，シンク機器４との間に介装され、これらの接続を切り替える分配器５とを備える。本発明に係るコンテンツデータ送受信システムのソース機器としては、ＢＤ（Blu-ray Disc：登録商標）プレーヤ、ＢＤレコーダ、ＳＴＢ（Set Top Box）、ゲーム機器等が挙げられる。シンク機器としては、テレビジョン受信機、プロジェクタ等が挙げられる。
【００３０】
本実施の形態のコンテンツデータ送受信システム１においては、ソース機器２がＢＤレコーダであり、シンク機器３，４がテレビジョン受信機である場合について説明する。
シンク機器３，４は、表示パネル及びバックライトユニットを含む表示モジュール３３，４３と、該表示モジュール３３，４３を挾むようにして収容する合成樹脂製のフロントキャビネット３２，４２及びリアキャビネット３７，４７と、スタンド３１，４１と、正面下部に設けられた２個のスピーカ３８，４８とを備える。表示モジュール３３，４３は、全体として横長の略直方体状をなし、縦置き状態でフロントキャビネット３２，４２及びリアキャビネット３７，４７内に収容されている。
シンク機器３，４は、アンテナ（不図示）から放送波を受信するチューナ（受信部）３４，４４と、符号化された放送波を復号するデコーダ３５，４５とを備える。
【００３１】
分配器５は、第３Ｉ／Ｆ５１、データ入力部５２、ソース間認証処理部５３、ＥＤＩＤデータ格納部５４、ＨＰＤ（Hot Plug Detect）制御部５５、映像音声処理部５６、情報
記憶部５７、情報処理部５８、第１データ出力部５９、第１認証処理部６０、第１ＥＤＩＤ取得部６１、第１ＨＰＤ検出部６２、第２データ出力部６３、第２認証処理部６４、第２ＥＤＩＤ取得部６５、第２ＨＰＤ検出部６６、第１Ｉ／Ｆ６７、及び第２Ｉ／Ｆ６８を備える。
【００３２】
第３Ｉ／Ｆ５１は、ソース機器２と分配器５との間でデジタル信号を送受信するインターフェイスである。第１Ｉ／Ｆ６７は、シンク機器３と分配器５との間でデジタル信号を送受信するインターフェイスであり、第２Ｉ／Ｆ６８は、シンク機器４と分配器５との間でデジタル信号を送受信するインターフェイスである。これらのインターフェイスとして、例えばＨＤＭＩのインターフェイス等が挙げられる。
【００３３】
ソース間認証処理部５３はソース機器２のＨＤＣＰ認証要求を検知し、該認証要求を検知した場合、シンク機器３，４の鍵情報に基づいて認証鍵情報を作成し、認証情報が準備できたことを示すデータを設定する。
情報処理部５８は、分配器５の各部の作動に対する制御、各部の処理状態の把握を行う。具体的には、認証処理に係る制御、ＥＤＩＤデータの作成、ＥＤＩＤデータの設定、認証鍵情報の作成の制御等を行う。
情報記憶部５７は、情報処理部５８が作成したＥＤＩＤデータ、及びシンク機器の鍵情報を記憶する。
ＥＤＩＤデータ格納部５４は、情報処理部５８が作成し、情報記憶部５６に記憶されたＥＤＩＤデータが格納（設定）される。
ＨＰＤ制御部５５は、ＨＰＤ信号をＨｉｇｈ又はＬｏｗに設定する。情報処理部５８はＥＤＩＤデータ格納部５４にＥＤＩＤデータを格納する場合、ＨＰＤ制御部５５によりＨＰＤ信号をＬｏｗに設定した上で、ＥＤＩＤデータを設定し、その後、ＨＰＤ信号をＨｉｇｈに設定する。
【００３４】
データ入力部５２は、後述する認証が成立した場合、設定ＥＤＩＤデータに基づき、シンク機器３，４の出力型式に対応しており、かつ暗号化されたＴＭＤＳ方式のコンテンツデータをソース機器２から入力され、認証が成立した鍵情報を用いて復号化を行い、映像音声処理部５６へ出力する。
映像音声処理部５６は、所定の処理を行った後、第１データ出力部５９及び第２データ出力部６３へ出力する。
【００３５】
第１データ出力部５９，第２データ出力部６３は、認証が成立した鍵情報を用いて暗号化を行い、暗号化されたコンテンツデータをそれぞれ第１Ｉ／Ｆ６７，第２Ｉ／Ｆ６８を介しシンク機器３，４へ出力する。
第１ＨＰＤ検出部６２はシンク機器３のＨＰＤ信号を検出し、ＨＰＤ信号の立ち上がりを検出した場合、第１ＥＤＩＤ取得部６１がシンク機器３のＥＤＩＤを取得する。
第２ＨＰＤ検出部６６はシンク機器４のＨＰＤ信号を検出し、ＨＰＤ信号の立ち上がりを検出した場合、第２ＥＤＩＤ取得部６５がシンク機器４のＥＤＩＤを取得する。
第１認証処理部６０は、シンク機器３へ認証要求信号を送信してシンク機器３の鍵情報を取得し、シンク機器３との間で認証を行う。
第２認証処理部６４は、シンク機器４へ認証要求信号を送信してシンク機器の４の鍵情報を取得し、シンク機器４との間で認証を行う。
【００３６】
以上のように構成されたコンテンツデータ送受信システム１において、分配器５にシンク機器３，４が接続された場合、分配器５の情報処理部５８は、第１ＨＰＤ検出部６２，第２ＨＰＤ検出部６６により検出しているシンク機器３，４のＨＰＤ信号が立ち上がった場合、第１ＥＤＩＤ取得部６１，第２ＥＤＩＤ取得部６５によりシンク機器３，４のＥＤＩＤをリードする。
【００３７】
情報処理部５８は、リードしたＥＤＩＤを解析して、シンク機器３，４が受信可能な映像フォーマット情報，音声フォーマット情報を認識する。
そして、情報処理部５８は、シンク機器３，４が受信可能であり、より適切なフォーマットのうち、分配器５が送受信可能であり、シンク機器３，４が受信が可能であるフォーマットを抽出してＥＤＩＤデータを作成し、情報記憶部５７に記憶する。このＥＤＩＤデータをＥＤＩＤデータ格納部５４に設定する場合、上述したようにＨＰＤ制御部５５によりＨＰＤ信号をＬｏｗに設定する。そして、ＥＤＩＤデータを設定した後、ＨＰＤ信号をＨｉｇｈに設定する。ＥＤＩＤデータを設定することにより、例えばシンク機器３，４の両方の音声フォーマットがＡＣ３である場合に、ＡＣ３に基づく音声を聴くことができる。
【００３８】
ソース機器２はＨＰＤ信号の立ち上がりを検出した場合、設定ＥＤＩＤデータをリードし、該設定ＥＤＩＤデータに対応するコンテンツデータを分配器５へ出力する。
ここで、ソース機器２は、出力するコンテンツデータに対し著作権保護が必要な場合、ＨＤＣＰ処理を開始する。すなわち、分配器５へ認証要求を送信する。ソース間認証処理部５３はソース機器２からの認証要求を受信する。
第１認証処理部６０，第２認証処理部６４は、シンク機器３，４との認証を開始し、シンク機器３，４との認証が完了した場合、第１認証処理部６０，第２認証処理部６４はシンク機器３，４の鍵情報を情報処理部５８へ与える。情報処理部５８は、シンク機器３，４の鍵情報をまとめてソース間認証処理部５３へ与える。
【００３９】
ソース間認証処理部５３は、前記鍵情報に基づいて認証鍵情報を作成し、認証情報が準備できたことを示すデータを設定する。ソース機器２は認証情報準備完了のデータを検知してシンク機器３，４の鍵情報を取得し、ソース機器２，分配器５がそれぞれ取得した鍵情報に基づいて演算した値を比較すること等を行い、確認して認証が完了する。これにより機器間で、暗号化処理を施したコンテンツデータの送受信が可能になる。
認証処理が行われており、認証が成立するまでの間は、著作権保護が必要であるデータをシンク機器３，４へ出力することはできないので、シンク機器３，４には黒映像，ブルースクリーン等のコンテンツ保護が不要である認証中映像が出力される。
認証が成立した場合、上述したように、暗号化されたコンテンツデータがソース機器２より分配器５へ入力され、該コンテンツデータが分配器５によりシンク機器３，４へ出力され、シンク機器３，４においてコンテンツデータに対応する映像が表示され、音声が出力される。
【００４０】
そして、暗号化処理されたコンテンツデータの送受信を行っている場合に、シンク機器４の接続が切断されて、第２ＨＰＤ検出部６６がＨＰＤ信号のＬｏｗレベルを検出したときは、ソース機器２に対するＨＰＤ制御を行わないことにより、ソース機器２、分配器５、シンク機器３間の認証は継続されるので、シンク機器３においては映像及び音声を途切れなく視聴することができる。
【００４１】
その後、シンク機器４′が接続され、第２ＨＰＤ検出部６６がＨＰＤ信号のＨｉｇｈレベルを検出した場合、第２ＥＤＩＤ取得部６５はシンク機器４′のＥＤＩＤをリードする。
情報処理部５８は、リードしたＥＤＩＤよりシンク機器４′が対応可能な映像フォーマット，音声フォーマットを認識する。シンク機器４′がソース機器２から入力されているコンテンツデータの映像フォーマット，音声フォーマットに対応している場合、すなわち設定ＥＤＩＤの映像フォーマット，音声フォーマットに対応している場合、ＥＤＩＤデータ格納部５４への設定ＥＤＩＤの書き換え処理は行わず、ＨＤＣＰ認証処理を開始する。リードしたＥＤＩＤの映像フォーマット，音声フォーマットが前記設定ＥＤＩＤの映像フォーマット，音声フォーマットに対応していないとき、シンク機器３，４′の両方が受信可能であり、分配器５が伝送可能であるフォーマットを記載したＥＤＩＤデータを作成し、作成したＥＤＩＤデータを設定ＥＤＩＤデータとしてＥＤＩＤデータ格納部５４に書き換える。
【００４２】
前記ＨＤＣＰ処理において、第２認証処理部６４はシンク機器４′との認証を開始する。シンク機器４′から取得した鍵情報が認証成立時の鍵情報と同じである場合、シンク機器４′との認証処理を継続し、認証が正常に終了した場合、暗号化処理を施したコンテンツデータをシンク機器４′へ出力する。
鍵情報が認証成立時の鍵情報と異なる場合、この鍵情報はソース機器２へ伝搬していない鍵情報であるので、ソース機器２からの再認証が必要である。この場合、ソース機器２との認証が不成立になるようにソース間認証処理部５３の状態を変更することにより、ソース機器２は認証が不成立になったことを検知し、再認証処理を実施する。すなわち、ソース間認証処理部５３が、ソース機器２と共通の暗号文関数を用いて、入力された映像データに対応して所定フレーム（例えば１２８フレーム）毎に完全性をソース機器２に検証させるために生成する情報（認証成否情報）が、ソース機器２が前記暗号文関数を用いて、映像データに対応して前記所定フレーム毎に完全性を検証するために生成する情報と一致しないように、認証成否情報を書き換える。具体的には、例えば値をゼロにリセットすること等が挙げられる。
ソース機器２は、自機が生成する情報とソース間認証処理部５３が生成する前記認証成否情報との不一致を検知し、再認証処理を開始し、分配器５に認証要求を送信し、認証が実行される。
【００４３】
図３及び図４は、上述の情報処理部５８の処理手順を示すフローチャートである。
以下、ソース機器２、分配器５、シンク機器３，４の間で認証が成立し、ソース機器２から分配器５を介しシンク機器３，４へコンテンツデータが出力されている場合に、分配器５とシンク機器４との接続が切断されたときについて説明する。
情報処理部５８は、シンク機器４′を接続されたことを認識する（Ｓ１）。ここで、シンク機器４の代わりに分配器５に接続されたシンク機器を「シンク機器４′」としている。再度、シンク機器４が接続される場合もあり、この場合、「シンク機器４′」はシンク機器４である。
【００４４】
情報処理部５８は、第２ＨＰＤ検出部６６により検出しているシンク機器４′のＨＰＤ信号の立ち上がりを検出したか否かを判定する（Ｓ２）。立ち上がりを検出していないと判定した場合（Ｓ２：ＮＯ）、判定処理を繰り返す。
【００４５】
情報処理部５８は前記立ち上がり検出したと判定した場合（Ｓ２：ＹＥＳ）、第２ＥＤＩＤ取得部６５によりシンク機器４′のＥＤＩＤをリードする（Ｓ３）。
情報処理部５８は、ＥＤＩＤを解析し、シンク機器４′が受信可能な映像フォーマット情報，音声フォーマット情報（以下、フォーマット情報という）を認識する（Ｓ４）。
情報処理部５８は、シンク機器４′が受信可能であり、より適切なフォーマット情報のうち、分配器５が送受信可能であり、シンク機器３，４′で受信が可能であるフォーマット情報を抽出してＥＤＩＤデータを作成し、情報記憶部５７に記憶する（Ｓ５）。
【００４６】
情報処理部５８は、情報記憶部５７に記憶したＥＤＩＤデータがＥＤＩＤデータ格納部５４に格納されている設定ＥＤＩＤデータと同一であるか否かを判定する（Ｓ６）。
情報処理部５８は、設定ＥＤＩＤデータと同一であると判定した場合（Ｓ６：ＹＥＳ）、「ＥＤＩＤ  Ｃｈａｎｇｅ  Ｆｌａｇ」を「Ｆａｌｓｅ」にし（Ｓ７）、設定ＥＤＩＤデータと同一でないと判定した場合（Ｓ６：ＮＯ）、「ＥＤＩＤ  Ｃｈａｎｇｅ  Ｆｌａｇ」を「Ｔｒｕｅ」にする（Ｓ８）。
【００４７】
情報処理部５８は、シンク機器４′が受信コンテンツデータに対応しているか否かを判定する（Ｓ９）。
情報処理部５８は、受信コンテンツデータに対応していると判定した場合（Ｓ９：ＹＥＳ）、すなわち、設定ＥＤＩＤの書き換えが不要である場合、シンク機器４′との間で認証を開始する（Ｓ１０）。
情報処理部５８は、シンク機器４′から取得した鍵情報が、認証が成立しているときに第２認証処理部６４が取得した鍵情報と同一であるか否かを判定する（Ｓ１１）。
情報処理部５８は、鍵情報と同一であると判定した場合（Ｓ１１：ＹＥＳ）、処理をステップＳ１４へ進める。
【００４８】
情報処理部５８は、ステップＳ９においてシンク機器４′が受信コンテンツデータに対応していないと判定した場合（Ｓ９：ＮＯ）、又は、ステップＳ１１において鍵情報が同一でないと判定した場合（Ｓ１１：ＮＯ）、ソース間認証処理部５３が生成する認証成否情報を認証不成立の情報に書き換える（Ｓ１２）。上述したように、例えば値をゼロにリセットする。
ソース機器２は、認証不成立の情報により再認証処理を開始し、情報処理部５８はソース機器２の認証開始を検知して、ソース機器２の再認証に対応する処理を行う（Ｓ１３）。
【００４９】
図５は、この再認証処理を示すフローチャートである。
情報処理部５８は、ソース機器２からの認証開始を検知したか否かを判定する（Ｓ２１）。情報処理部５８は認証開始を検知していないと判定した場合（Ｓ２１：ＮＯ）、判定処理を繰り返す。
情報処理部５８は認証開始を検知したと判定した場合（Ｓ２１：ＹＥＳ）、「ＥＤＩＤ
Ｃｈａｎｇｅ  Ｆｌａｇ」が立っているか（「Ｔｒｕｅ」であるか）否かを判定する（Ｓ２２）。
情報処理部５８は「ＥＤＩＤ  Ｃｈａｎｇｅ  Ｆｌａｇ」が「Ｆａｌｓｅ」であると判定した場合、ＨＤＣＰ処理を行う（Ｓ２３）。
すなわちシンク機器４′は受信コンテンツデータに対応しており（設定ＥＤＩＤデータに対応しており）、鍵情報が異なるので、情報処理部５８はソース間認証処理部５３により、シンク機器３，４′の鍵情報に基づいて認証鍵情報を作成し、認証情報が準備できたことを示すデータを設定する。ソース機器２は、認証情報準備完了データを検知して認証鍵情報を取得し、内容を確認することで、接続されている機器間の認証が成立する。
【００５０】
ステップＳ２２において、「ＥＤＩＤ  Ｃｈａｎｇｅ  Ｆｌａｇ」が「Ｔｒｕｅ」である場合（Ｓ２２）、「ＥＤＩＤ  Ｃｈａｎｇｅ  Ｆｌａｇ」を「Ｆａｌｓｅ」にし（Ｓ２４）、ＥＤＩＤデータ格納部５４の設定ＥＤＩＤデータを、情報記憶部５７に記憶した、シンク３，４′に対応するＥＤＩＤデータに書き換える（Ｓ２５）。ここで、情報処理部５８は、ＨＰＤ制御部５５によりＨＰＤ信号をＬｏｗに設定した上で、ＥＤＩＤデータ格納部５４にＥＤＩＤデータを設定する。設定後、ＥＤＩＤデータをＨｉｇｈに設定する。
そして、情報処理部５８は、ＨＤＣＰ処理を行う（Ｓ２６）。情報処理部５８はソース間認証処理部５３により、シンク機器３，４′の鍵情報に基づいて認証鍵情報を作成し、認証情報が準備できたことを示すデータを設定する。ソース機器２は、認証情報準備完了データを検知して認証鍵情報を取得し、内容を確認することで接続されている機器間の認証が成立する。
【００５１】
ステップＳ１４において、情報処理部５８は、ソース機器２から入力されたコンテンツデータをシンク機器３，４′へ出力する。
情報処理部５８は、ソース機器２からのコンテンツデータの入力が終了したか否かを判定する（Ｓ１５）。情報処理部５８は前記入力が終了していないと判定した場合（Ｓ１５：ＮＯ）、判定処理を繰り返す。
情報処理部５８は前記入力が終了したと判定した場合（Ｓ１５：ＹＥＳ）、配信処理を終了する。
【００５２】
本実施の形態においては、一つのシンク機器４の接続が切断され、任意のシンク機器４′が接続された場合、接続されたシンク機器４′のＥＤＩＤデータがＥＤＩＤデータ格納部５４に格納された設定ＥＤＩＤデータに対応しており、シンク機器４′の鍵情報が切断前のシンク機器４の鍵情報と同一であるとき、ソース機器２による再認証を促さない。従って、接続が切断されていないシンク機器３において、不要な黒映像等の認証中映像が表示されず、シンク機器３へのコンテンツデータの出力が継続される。また、接続されたシンク機器４′においては、分配器５とシンク機器４′との認証後、適切な出力型式に基づくコンテンツが出力され得る。
【００５３】
そして、接続されたシンク機器４′のＥＤＩＤデータがＥＤＩＤデータ格納部５４に格納された設定ＥＤＩＤデータに対応していないと判定した場合、又はシンク機器４′の鍵情報が切断前のシンク機器４の鍵情報と同一でないと判定した場合、ソース機器２に再認証を行うように促すので、確実に著作権が保護されるとともに、設定ＥＤＩＤデータが更新されるので、シンク機器３，４′において、適切なＥＤＩＤデータに基づくコンテンツを視聴することができる。
また、本実施の形態においては、ソース間認証処理部５３で生成する認証成否情報をリセット等することにより、ソース機器２は認証が不成立になったことを容易に検知して、再認証処理を開始することができる。
【００５４】
実施の形態２．
図６は、本発明の実施の形態２に係るコンテンツデータ送受信システム１１の構成を示すブロック図である。図中、図２と同一部分は同一符号を付して詳細な説明を省略する。
コンテンツデータ送受信システム１１は、コンテンツデータを配信するソース機器２と、該ソース機器２とデジタル接続されて、前記コンテンツデータを取得するシンク機器３，シンク機器４，シンク機器６と、ソース機器２と、シンク機器３，シンク機器４，シンク機器６との間に介装され、これらの接続を切り替える分配器１５とを備える。
コンテンツデータ送受信システム１１は、第３Ｉ／Ｆ５１，第１Ｉ／Ｆ６７，第２Ｉ／Ｆ６８に加えて、シンク機器６とデジタル接続するための第４Ｉ／Ｆ６９を備える。
【００５５】
さらに、コンテンツデータ送受信システム１１は、シンク機器６へコンテンツデータを出力する第３データ出力部７０、シンク機器６との間で鍵情報を受け渡し、認証を行う第３認証処理部７１、シンク機器６からＥＤＩＤを取得する第３ＥＤＩＤ取得部７２、シンク機器６のＨＰＤ信号を検出する第３ＨＰＤ検出部７３を備える。
【００５６】
図７及び図８は、情報処理部５８の処理手順を示すフローチャートである。
以下、ソース機器２、分配器１５、シンク機器３，４，６の間で認証が成立し、ソース機器２から分配器１５を介しシンク機器３，４，６へコンテンツデータが出力されている場合に、分配器１５とシンク機器６との接続が切断されたときについて説明する。
情報処理部５８は、シンク機器６′を接続されたことを認識する（Ｓ３１）。ここで、シンク機器６の代わりに分配器１５に接続されたシンク機器を「シンク機器６′」としている。再度、シンク機器６が接続される場合もあり、この場合、「シンク機器６′」はシンク機器６である。
【００５７】
情報処理部５８は、第３ＨＰＤ検出部７３により検出しているシンク機器６′のＨＰＤ信号の立ち上がりを検出したか否かを判定する（Ｓ３２）。立ち上がりを検出していないと判定した場合（Ｓ３２：ＮＯ）、判定処理を繰り返す。
【００５８】
情報処理部５８は前記立ち上がり検出したと判定した場合（Ｓ３２：ＹＥＳ）、第３ＥＤＩＤ取得部７２によりシンク機器６′のＥＤＩＤをリードする（Ｓ３３）。
情報処理部５８は、ＥＤＩＤを解析し、シンク機器６′が受信可能なフォーマット情報を認識する（Ｓ３４）。
情報処理部５８は、シンク機器６′が受信可能なフォーマット情報のうち、ソース機器２、分配器１５、シンク機器３，４，６′との間で送受信が可能であるフォーマット情報を抽出してＥＤＩＤデータを作成し、情報記憶部５７に記憶する（Ｓ３５）。
【００５９】
情報処理部５８は、情報記憶部５７に記憶したＥＤＩＤデータがＥＤＩＤデータ格納部５４に格納されている設定ＥＤＩＤデータと同一であるか否かを判定する（Ｓ３６）。
情報処理部５８は、設定ＥＤＩＤデータと同一であると判定した場合（Ｓ３６：ＹＥＳ）、「ＥＤＩＤ  Ｃｈａｎｇｅ  Ｆｌａｇ」を「Ｆａｌｓｅ」にし（Ｓ３７）、設定ＥＤＩＤデータと同一でないと判定した場合（Ｓ３６：ＮＯ）、「ＥＤＩＤ  Ｃｈａｎｇｅ  Ｆｌａｇ」を「Ｔｒｕｅ」にする（Ｓ３８）。
【００６０】
情報処理部５８は、シンク機器６′が受信コンテンツデータに対応しているか否かを判定する（Ｓ３９）。
情報処理部５８は、受信コンテンツデータに対応していると判定した場合（Ｓ３９：ＹＥＳ）、すなわち、設定ＥＤＩＤの書き換えが不要である場合、シンク機器６′との間で認証を開始する（Ｓ４０）。
情報処理部５８は、シンク機器６′から取得した鍵情報が、認証が成立したときに第３認証処理部７１が取得した鍵情報と同一であるか否かを判定する（Ｓ４１）。
情報処理部５８は、鍵情報と同一であると判定した場合（Ｓ４１：ＹＥＳ）、処理をステップＳ４４へ進める。
【００６１】
情報処理部５８は、ステップＳ３９においてシンク機器６′が受信コンテンツデータに対応していないと判定した場合（Ｓ３９：ＮＯ）、又は、ステップＳ４１において鍵情報が同一でないと判定した場合（Ｓ４１：ＮＯ）、ソース間認証処理部５３が生成する認証成否情報を認証不成立の情報に書き換える（Ｓ４２）。
ソース機器２は、認証不成立の情報により再認証を開始し、情報処理部５８はソース機器２の認証開始を検知して、ソース機器２の再認証に対応する処理を行う（Ｓ４３）。この再認証処理は、実施の形態１に係る再認証処理（図５のフローチャート）と同一である。
但し、本実施の形態においては、設定ＥＤＩＤを書き換える場合、情報処理部５８は、シンク機器３，４，６′に対応するＥＤＩＤに書き換える。また、ＨＤＣＰ処理において、シンク機器３，４，６′の鍵情報に基づいて認証鍵情報を作成し、認証情報が準備できたことを示すデータを設定する。ソース機器２は、認証情報準備完了データを検知して認証鍵情報を取得し、内容を確認することで接続されている機器間の認証が成立する。
【００６２】
ステップＳ４４において、情報処理部５８は、ソース機器２から入力されたコンテンツデータをシンク機器３，４，６′へ出力する。
情報処理部５８は、ソース機器２からのコンテンツデータの入力が終了したか否かを判定する（Ｓ４５）。情報処理部５８は前記入力が終了していないと判定した場合（Ｓ４５：ＮＯ）、判定処理を繰り返す。
情報処理部５８は前記入力が終了したと判定した場合（Ｓ４５：ＹＥＳ）、配信処理を終了する。
【００６３】
本実施の形態においては、一つのシンク機器６の接続が切断され、任意のシンク機器６′が接続された場合、接続されたシンク機器６′のＥＤＩＤデータがＥＤＩＤデータ格納部５４に格納された設定ＥＤＩＤデータに対応しており、シンク機器６′の鍵情報が切断前のシンク機器６の鍵情報と同一であるとき、ソース機器２による再認証を促さない。従って、接続が切断されていないシンク機器３，４において、不要な黒映像等の認証中映像が表示されない。また、接続されたシンク機器６′においては、分配器１５とシンク機器６′との認証後、適切な出力型式に基づくコンテンツが出力され得る。
【００６４】
そして、接続されたシンク機器のＥＤＩＤデータがＥＤＩＤデータ格納部５４に格納された設定ＥＤＩＤデータに対応していないと判定した場合、又はシンク機器６′の鍵情報が切断前のシンク機器６の鍵情報と同一でないと判定した場合、ソース機器２に再認証を行うように促すので、確実に著作権が保護されるとともに、設定ＥＤＩＤデータが更新されるので、シンク機器３，４，６′において、適切なＥＤＩＤデータに基づくコンテンツを視聴することができる。
また、本実施の形態においては、ソース間認証処理部５３で生成する認証成否情報をリセット等することにより、ソース機器２は認証が不成立になったことを容易に検知して、認証処理を開始することができる。
【００６５】
実施の形態３．
本発明の実施の形態３に係るコンテンツデータ送受信システム１２は、情報処理部７５の処理が実施の形態２に係るコンテンツデータ送受信システム１１の情報処理部５８の処理と異なること以外は、コンテンツデータ送受信システム１１と同様の構成を有する。
図９は、コンテンツデータ送受信システム１２の構成を示すブロック図である。図中、図６と同一部分は同一符号を付して詳細な説明を省略する。
【００６６】
図１０及び図１１は、情報処理部７５の処理手順を示すフローチャートである。
以下、分配器１５の第１Ｉ／Ｆ６７，第２Ｉ／Ｆ６８，第４Ｉ／Ｆ６９に、それぞれシンク機器３，４，６が接続され、ソース機器２、分配器１５、シンク機器３，４，６の間で認証が成立し、ソース機器２から分配器１５を介しシンク機器３，４，６へコンテンツデータが出力されている場合につき説明する。
【００６７】
シンク機器６の接続が切断されて、第３ＨＰＤ検出部７３がＨＰＤ信号のＬｏｗレベルを検出したときは、ソース機器２に対するＨＰＤ制御を行わないことにより、ソース機器２、分配器１５、シンク機器３，４の認証は継続されるので、シンク機器３，４においては映像及び音声を途切れなく視聴することができる。
【００６８】
次に、シンク機器４の接続が切断されて、第２ＨＰＤ検出部６６がＨＰＤ信号のＬｏｗレベルを検出したときは、ソース機器２に対するＨＰＤ制御を行わないことにより、ソース機器２、分配器１５、シンク機器３の認証は継続されるので、シンク機器３においては映像及び音声を途切れなく視聴することができる。
【００６９】
その後、シンク機器４′が第２Ｉ／Ｆ６８を介し接続され、第２ＨＰＤ検出部６６がＨＰＤ信号のＨｉｇｈレベルを検出した場合、第２ＥＤＩＤ取得部６５はシンク機器４′のＥＤＩＤをリードする。
情報処理部７５は、リードしたＥＤＩＤよりシンク機器４′が対応可能な映像フォーマット，音声フォーマットを認識する。シンク機器４′がソース機器２から入力されているコンテンツデータの映像フォーマット，音声フォーマットに対応していない場合、すなわち設定ＥＤＩＤの映像フォーマット，音声フォーマットに対応していない場合、シンク機器３，４′の両方が受信可能であり、分配器１５が伝送可能であるフォーマットを記載したＥＤＩＤデータを作成し、情報記憶部５７に記憶する。
【００７０】
設定ＥＤＩＤの映像フォーマット，音声フォーマットに対応している場合、ＥＤＩＤデータ格納部５４への設定ＥＤＩＤの書き換え処理は行わず、ＨＤＣＰ認証処理（分配器１５、シンク機器４′間の認証）を開始する。すなわち、第２認証処理部６４がシンク機器４′との認証を開始する。
シンク機器４′から取得した鍵情報が前回の認証成立時の鍵情報と同じである場合、シンク機器４′との認証処理を継続し、認証が正常に終了した場合、暗号化処理を施したコンテンツデータをシンク機器４′へ出力する。この間、シンク機器３へのコンテンツデータの出力は継続されている。ここで、前回の認証成立時の鍵情報とは、シンク機器４の鍵情報、又はシンク機器６の鍵情報である。
鍵情報が認証成立時の鍵情報と異なる場合、実施の形態２に係る再認証処理と同一の再認証処理を行う。すなわち、ＨＤＣＰ認証処理（ソース機器２、分配器１５、シンク機器３，４′間の認証）を行う。
【００７１】
新しく構築されたシステム、すなわち、ソース機器２、分配器１５、シンク機器３，４′において、ソース間認証処理部５３がソース機器２からの認証開始を検知した場合、第２ＥＤＩＤ取得部６５によりリードしたＥＤＩＤの映像フォーマット，音声フォーマットが前記設定ＥＤＩＤの映像フォーマット，音声フォーマットに対応していないとき、情報記憶部５７に記憶した作成ＥＤＩＤデータを設定ＥＤＩＤデータとしてＥＤＩＤデータ格納部５４に書き換え、ＨＰＤ制御部５５において、ＨＰＤのＨｉｇｈ信号をソース機器２へ出力し、ＨＤＣＰ認証処理（ソース機器２−分配器１５−シンク機器３，４′間の認証）を行う。
【００７２】
図１０及び図１１は、情報処理部７５の処理手順を示すフローチャートである。
情報処理部７５は、シンク機器４′を接続されたことを認識する（Ｓ５１）。ここで、シンク機器４の代わりに分配器１５に接続されたシンク機器を「シンク機器４′」としている。シンク機器４及び６のいずれかが接続される場合があり、この場合、「シンク機器４′」はシンク機器４又は６である。
【００７３】
情報処理部７５は、第２ＨＰＤ検出部６６により検出しているシンク機器４′のＨＰＤ信号の立ち上がりを検出したか否かを判定する（Ｓ５２）。立ち上がりを検出していないと判定した場合（Ｓ５２：ＮＯ）、判定処理を繰り返す。
【００７４】
情報処理部７５は前記立ち上がりを検出したと判定した場合（Ｓ５２：ＹＥＳ）、第２ＥＤＩＤ取得部６５によりシンク機器４′のＥＤＩＤをリードする（Ｓ５３）。
情報処理部７５は、ＥＤＩＤを解析し、シンク機器４′が受信可能なフォーマット情報を認識する（Ｓ５４）。
情報処理部７５は、シンク機器４′が受信可能なフォーマット情報のうち、ソース機器２、分配器１５、シンク機器３，４′との間で送受信が可能であるフォーマット情報を抽出してＥＤＩＤデータを作成し、情報記憶部５７に記憶する（Ｓ５５）。
【００７５】
情報処理部７５は、情報記憶部５７に記憶したＥＤＩＤデータがＥＤＩＤデータ格納部５４に格納されている設定ＥＤＩＤデータと同一であるか否かを判定する（Ｓ５６）。
情報処理部７５は、設定ＥＤＩＤデータと同一であると判定した場合（Ｓ５６：ＹＥＳ）、「ＥＤＩＤ  Ｃｈａｎｇｅ  Ｆｌａｇ」を「Ｆａｌｓｅ」にし（Ｓ５７）、設定ＥＤＩＤデータと同一でないと判定した場合（Ｓ５６：ＮＯ）、「ＥＤＩＤ  Ｃｈａｎｇｅ  Ｆｌａｇ」を「Ｔｒｕｅ」にする（Ｓ５８）。
【００７６】
情報処理部７５は、シンク機器４′が受信コンテンツデータに対応しているか否かを判定する（Ｓ５９）。
情報処理部７５は、受信コンテンツデータに対応していると判定した場合（Ｓ５９：ＹＥＳ）、すなわち、設定ＥＤＩＤの書き換えが不要である場合、シンク機器４′との間で認証を開始する（Ｓ６０）。
情報処理部７５は、シンク機器４′から取得した鍵情報が、前回、認証が成立したときのいずれかのシンク機器の鍵情報と同一であるか否かを判定する（Ｓ６１）。
情報処理部７５は、鍵情報が同一であると判定した場合（Ｓ６１：ＹＥＳ）、処理をステップＳ６４へ進める。
【００７７】
情報処理部７５は、ステップＳ５９においてシンク機器４′が受信コンテンツデータに対応していないと判定した場合（Ｓ５９：ＮＯ）、又は、ステップＳ６１において鍵情報が同一でないと判定した場合（Ｓ６１：ＮＯ）、ソース間認証処理部５３が生成する認証成否情報を認証不成立の情報に書き換える（Ｓ６２）。
ソース機器２は、認証不成立の情報により再認証を開始し、情報処理部７５はソース機器２の認証開始を検知して、ソース機器２の再認証に対応する処理を行う（Ｓ６３）。この再認証処理は、実施の形態１に係る再認証処理（図５のフローチャート）と同一である。
但し、本実施の形態においては、設定ＥＤＩＤを書き換える場合、情報処理部７５は、シンク機器３，４′に対応するＥＤＩＤに書き換える。また、ＨＤＣＰ処理において、シンク機器３，４′の鍵情報に基づいて認証鍵情報を作成し、認証情報が準備できたことを示すデータを設定する。ソース機器２は、認証情報準備完了データを検知して認証鍵情報を取得し、内容を確認することで接続されている機器間の認証が成立する。
【００７８】
ステップＳ６４において、情報処理部７５は、ソース機器２から入力されたコンテンツデータをシンク機器３，４′へ出力する。
情報処理部７５は、ソース機器２からのコンテンツデータの入力が終了したか否かを判定する（Ｓ６５）。情報処理部７５は前記入力が終了していないと判定した場合（Ｓ６５：ＮＯ）、判定処理を繰り返す。
情報処理部７５は前記入力が終了したと判定した場合（Ｓ６５：ＹＥＳ）、配信処理を終了する。
【００７９】
本実施の形態においては、一つのシンク機器４及び６の接続が切断され、任意のシンク機器４′が接続された場合、接続されたシンク機器４′のＥＤＩＤデータがＥＤＩＤデータ格納部５４に格納された設定ＥＤＩＤデータに対応しており、シンク機器４′の鍵情報が切断前のシンク機器４又は６の鍵情報と同一であるとき、ソース機器２による再認証を促さない。従って、接続が切断されていないシンク機器３において、不要な黒映像等の認証中映像が表示されない。また、接続されたシンク機器４′においては、分配器１５とシンク機器４′との認証後、適切な出力型式に基づくコンテンツが出力され得る。
【００８０】
そして、接続されたシンク機器のＥＤＩＤデータがＥＤＩＤデータ格納部５４に格納された設定ＥＤＩＤデータに対応していないと判定した場合、又はシンク機器４′の鍵情報が切断前のシンク機器４又は６の鍵情報と同一でないと判定した場合、ソース機器２に再認証を行うように促すので、確実に著作権が保護されるとともに、設定ＥＤＩＤデータが更新されるので、シンク機器３，４′において、適切なＥＤＩＤデータに基づくコンテンツを視聴することができる。
なお、分配器１５に第４Ｉ／Ｆ６９を介しシンク機器６′が接続された場合も上記と同様の処理が行われる。
【００８１】
以上のように、３以上のＨＤＭＩ出力を有する分配器において、３以上のシンク機器に暗号化処理を施した信号を送信している状態から、少なくとも一つのシンク機器に暗号化処理を施した信号を送信する状態に変化し、その後、シンク機器が接続された場合、このシンク機器がいずれかの端子に接続されていた機器である場合、すなわち、鍵情報が情報記憶部が記憶しているいずれかの鍵情報と一致し、対応可能な映像フォーマット，音声フォーマットが設定ＥＤＩＤの映像フォーマット，音声フォーマットに対応している場合、ソース機器の再認証を行わないように構成されているので、不要な黒映像の表示がされない。つまり、一度認証が成立したシンク機器においては、そのシンク機器が同じ端子に接続される場合のみならず、分配器が保有するいずれかの端子に接続される場合においても、不要な黒映像の表示がされなくなる。
【００８２】
なお、ソース機器及びシンク機器の数、情報処理部５８，７５の処理手順、ソース機器へ再認証を促す場合の処理等は、前記実施の形態１〜３で説明した場合に限定されるものではない。
すなわち、請求項に示した範囲で適宜変更した技術的手段を組み合わせて得られる実施形態も本発明の技術的範囲に含まれる。
【符号の説明】
【００８３】
１，１１，１２  コンテンツデータ送受信システム
２  ソース機器
３，４，６  シンク機器
５、１５  分配器
５１，６７，６８，６９  第３Ｉ／Ｆ，第１Ｉ／Ｆ，第２Ｉ／Ｆ，第４Ｉ／Ｆ
５２  データ入力部
５３  ソース間認証処理部
５４  ＥＤＩＤデータ格納部（機器情報格納手段）
５５  ＨＰＤ制御部
５６  映像音声処理部
５７  情報記憶部
５８、７５  情報処理部（機器情報抽出手段、機器情報判定手段、鍵情報判定手段、書換手段）
５９，６３，７０  第１データ出力部，第２データ出力部，第３データ出力部
６０，６４，７１  第１認証処理部，第２認証処理部，第３認証処理部
６１，６５，７２  第１ＥＤＩＤ取得部，第２ＥＤＩＤ取得部，第３ＥＤＩＤ取得部（機器情報取得手段）
６２，６６，７３  第１ＨＰＤ検出部，第２ＨＰＤ検出部，第３ＨＰＤ検出部
【図１】
2013255215.tif 000003
【図２】
2013255215.tif 000004
【図３】
2013255215.tif 000005
【図４】
2013255215.tif 000006
【図５】
2013255215.tif 000007
【図６】
2013255215.tif 000008
【図７】
2013255215.tif 000009
【図８】
2013255215.tif 000010
【図９】
2013255215.tif 000011
【図１０】
2013255215.tif 000012
【図１１】
2013255215.tif 000013